(57)【特許請求の範囲】
【請求項１】
第１の方向に第１の長さを有し、第１の方向と略直交する第２の方向に第２の長さを有する略矩形又は正方形の植物質基板であって、
カヤ、オギ、及びヨシの中から少なくとも１種を含む植物素材の多数本を、布、紙、又はメッシュ状の薄い平板からなる下敷基板上に、前記第１の方向に沿わしてかつそれぞれ第１の長さと略同一の長さをもって第２の方向に面状に並列配置すると共に、前記第２の方向に沿わしてかつそれぞれ第２の長さと略同一の長さをもって第１の方向に面状に並列配置し、さらに、上記植物質基板の設置時に上下方向となる第１方向又は第２方向に沿って並列配置した上記植物素材を生在時の根本部が下側となるように配置して形成し、
該形成体と前記下敷基板とを糸又は紐を用いて結い、編み、又は縫うことにより固定して板状に保形して成ることを特徴とした植物質基板。
【請求項２】
請求項１記載の植物質基板であって、さらに第１方向及び第２方向と異なる第３の方向に沿わして植物素材の複数本を面状に並列配置して形成体を形成したことを特徴とする植物質基板。
【請求項３】
前記第３の方向は前記略矩形又は正方形の植物質基板の対角線方向であることを特徴とした請求項２記載の植物質基板。
【請求項４】
請求項１、２、又は３のいずれか記載の植物質基板であって、該植物質基板の片面側に塗壁材を付着させて成ることを特徴とした土壁パネル。
【発明の詳細な説明】
【技術分野】
【０００１】
植物質基板及びそれを利用した土壁パネルに関する。
【背景技術】
【０００２】
従来は、竹、ジロ、焼コルク板、石灰ボードなどの建材を下地に下地材専用の壁材を塗り仕上げる又は土壁パネル、土壁、芯材とをネットで包み圧着した土壁パネルもあるが、パネル自体が重く工事中の捻転が多い。また現在の建築構造は従来の構造ではなく、ほとんどが集成材や外国材を金具止である重い土壁パネルでは工事も容易でなく工事後も衝撃、耐震に弱く離落のおそれがある。
【０００３】
日本は湿度の多い国で、ビニールクロスや合板式では温度湿度の循環性もなく、劣化し剥離して誰もが知るシックハウス症候群に悩まされ、最近では木材の無垢材を床、壁、天井まで貼る工事も多い。また、左官工事も一部では、モルタルにハシ木材のツブ状を混ぜ軽くしたモルタル又はＢドロを下地材に珪藻土壁、ジュラク壁、漆喰壁など日本式に合った壁も多く有るのが土壁というよりは、ペンキ風の壁で有り伝統的な土壁と呼ばれるものは衰退しつつある。。
【先行技術文献】
【特許文献】
【０００４】
【特許文献１】特開２００２−３４５６９１号
【特許文献２】特許第３９１９７６９号
【発明の概要】
【発明が解決しようとする課題】
【０００５】
本来の植物素材を利用し、土壁の伝統を守りつつ左官職人でなくとも容易に作れる軽量で強度及び耐久性のある植物質基板とそれを利用した土壁パネルを提供することを課題とする。
【課題を解決するための手段】
【０００６】
本発明の植物質基板は、第１の方向に第１の長さを有し、第１の方向と略直行する第２の方向に第２の長さを有する植物素材を略矩形または正方形の植物質基板であり、更に第３の方向へも植物素材を配することを特徴とする植物質基板であって、植物素材には、少なくともカヤ、オギ、ヨシからなるセルロースを含むことを特徴とする。
【発明の効果】
【０００７】
本発明の植物質基板を用いることで、職人の技術を必要としない土壁の製作が可能となり、軽量で強度及び耐久性のある植物質基板とそれを利用した土壁パネルを提供することが可能となる。
【図面の簡単な説明】
【０００８】
【図１】植物質基板と材料の配置方向を示す平面図である。
【図２】植物素材を示す一例の斜視図である。
【図３】下敷基板の平面図とその断面図である。
【図４】植物質基板の製造工程を示す一例の平面図とその断面図である。
【図５】植物質基板の製造工程を示す一例の平面図とその断面図である。
【図６】植物質基板の製造工程を示す一例の平面図とその断面図である。
【図７】植物質基板の製造工程を示す別例の平面図とその断面図である。
【図８】植物質基板の製造工程を示す別例の平面図とその断面図である。
【図９】土壁パネルを示す一例の平面図とその断面図である。
【図１０】土壁パネルの斜視図である。
【発明を実施するための最良の形態】
【０００９】
本発明の詳細について、図面を引用して説明する。
【実施例１】
【００１０】
図１は実施例１の植物質基板を示す図である。
本実施例の植物質基板は、第１の方向に第１の長さを有し、第１の方向と略直行する第２の方向に第２の長さを有する略矩形または正方形の植物質基板である。植物質基板は、第１の長さと略同一の長さを有するセルロースを含む植物素材を第１の方向配し形成されている。
植物素材は、例えば、力ヤ、オギ、ヨシが望ましいが、これに限定するものではない。
【００１１】
さらに、植物質基板は、下敷基板を有する。下敷基板は、植物質基板と略同一のサイズであり、第１の方向に第１の長さを有し、第２の方向に第２の長さを有する。
そして、植物質基板は下敷基板の上に第２の長さと略同一の長さを有する植物素材を第２の方向に配し、その上に、第１の長さと略同一の長さを有する植物素材を第１の方向に配し形成されている。
【００１２】
さらに、植物質基板は、下敷基板の上に植物素材を第２の方向に配した上に、第１の方向及び第２の方向と異なる第３の方向に並行に植物素材を配し形成されている。
第３の方向は、例えば、 植物質基板の対角線方向であるが、 対角線方向に限るものではない。
【００１３】
また、例えば、第１の長さは、第２の長さより長い、第１の長さと第２の長さは、例えば建築基準法に従い、第１の長さは約１８０ｃｍであり、第２の長さは９０ｃｍである。
【００１４】
図２は植物素材を示す図である。
植物素材は、内部にセルロースを多く含む素材である。 セルロースを多く含む素材は軽量である。 セルロースを多く含む素材としては、例えば、カヤ、オギ、ヨシであるが、これに限定するものではない。
【００１５】
次に、図３から図６を参照して本実施例の植物質基板の製造工程を説明する。
まず、図３に示すように下敷基板を用意する。下敷基板は、例えば、布又は紙が望ましいが、薄い平板状のものであればよい。
次に、図４に示すように下敷基板の上に、第２の長さを有する植物素材を第２の方向に並行に配置する。この段階では、植物素材は下敷基板に固定してもしなくてもよい。
次に、図５に示すように第２の方向に並行に配置された植物素材の上に、第３の方向に平行に植物素材を配する。
この段階では、 植物素材は下敷基板に固定してもしなくてもよい。
【００１６】
次に、図６に示すように第３の方向に平行に配置された植物素材の上に、第１の方向に平行に植物素材を配置する。
そして、図４から図６の工程で下敷基板の上に配置した植物素材を、下敷基板に固定する。固定の手段としては、例えば、糸又は紐で、植物素材を下敷基板と結ぶ、編む、縫うなどがある。上記の工程により、図１に示す植物質基板が形成される。
【００１７】
上記の植物質基板によれば、以下の効果が得られる。
まず、植物質基板の素材としてセルロースを多く含む植物素材を用いることにより、軽量の植物質基板を形成することが可能となる。
さらに、植物素材を、第１の方向、第２の方向、第３の方向に配して形成することにより、植物素材間に隙間が形成される。
これにより、さらに軽量の植物質基板を形成することが可能となる。
【実施例２】
【００１８】
上記、実施例１においては、図４から図６に示したように、下敷基板上に第２の方向に植物素材を配置した後に、第３の方向に植物素材を配し、その上に第１の方向に植物素材を配置していた。
本実施例では、この順番を変更する。
【００１９】
図４の示すように下敷基板の上に、第２の長さを有する植物素材を第２の方向に平行に配置した後、図７に示すように、第１の長さを有する植物素材を第１の方向に平行に配置する。次に、図８に示すように第１の方向に平行に配置された植物素材の上に、第３の方向に平行に植物素材を配する。
そして、下數基板の上に配置した植物素材を、下敷基板に固定する。 以上の工程により、図１に示す植物質基板が形成される。
【実施例３】
【００２０】
実施例３では、実施例１で示した植物質基板を用いて、土壁パネルを形成する。
図９は、土壁パネルを示す図である。
【００２１】
植物素材はカヤ、オギ、ヨシ、竹、木などの素材の長尺素材を基板に使用することが、強度、弾力性、循環性に対して効果があり、軽量化を図ることも可能である。
更に、寸法規格を外れるような長さの場合には、穂先と根本を組み合わせて繋ぎ合わせることで、様々な大きさの植物質基板を製作することが可能となる。
【００２２】
下敷基板は、自然素材の布、紙、合成繊維などの布、又はメッシュ状のものを利用し、その下敷基板の上に植物素材を組み合わせるための保護材でもあり、下敷基板は第２の方向の素材より幅を広くすることも可能である。これは第１の方向の両端を包み込み、固定して保護する事にも利用できるためである。下敷基板と植物素材とを一緒に固定することで安定性が向上する。
【００２３】
植物質基板は生在時と同様に、根本部を下側に、穂先部が上部になるようにすることで、より自然の状態を再現でき、素材本来の機能を発揮することができる。
【００２４】
植物素材は任意の長さに切断することができ、様々な大きさの植物質基板を形成することが可能である。
【００２５】
植物質基板は素材の配置に、第３の方向を加えることで、衝撃、ねじれ、弾力性が向上する。植物質基板を設置する箇所の形状が、平面以外の曲線状である場合は、第３の方向の素材の配置を省き、第１の方向及び第２の方向の２方向とすることで、植物質基板に柔軟性を持たせることができ、曲線状の箇所にも設置が可能となる。
【００２６】
植物質基板の素材である、カヤ、ヨギ、ヨシ、竹、木などのセルロースを多く含む植物素材で構成された植物質基板に、塗壁材を付着することで、植物質基板と塗壁材が一体化し、保温性、断熱性、循環性に優れた土壁パネルとすることができる。付着することには塗ることも含まれ、塗壁材には、土壁、大津土壁、漆喰、鉱物混合合成壁が望ましいが、これに限定するものではない。
【００２７】
従来の土壁の標準的な大きさは、横９０ｃｍ、縦１８０ｃｍ、厚さ３ｃｍ程度で重さが３０ｋｇ程あり、運搬の際は２人以上を要するものであったが、本発明の植物質基板を用いることで、前記の横９０ｃｍ、縦１８０ｃｍ、厚さ３ｃｍ程度の大きさでも、わずか９ｋｇと軽量化を図ることができ、１人でも運搬が可能となる。
【００２８】
植物質基板への塗壁材の塗布は、植物素材の表面が表れる程度に下塗りをしてから、建築物へ設置し、その後本塗布をしてもよく、植物質基板を建築物に設置してから、下塗り、本塗布をしてもよく、建築工順も柔軟になる。
【産業上の利用可能性】
【００２９】
本発明の植物質基板及びそれを利用した土壁パネルは、建築用材料として利用が可能である。
【符号の説明】
【００３０】
１  植物質基板
２  植物素材
３  下敷基板
４  第２の方向へ素材を配した状態
５  第２の方向と第３の方向へ素材を配した状態
６  第１の方向から第３の方向まで素材を配した状態
７  第１の方向と第２の方向へ素材を配した状態
８  土壁パネル
９  縫い糸
１０  塗壁材
【要約】
【課題】
本来の植物素材を利用し、土壁の伝統を守りつつ左官職人でなくとも容易に作れる軽量で強度及び耐久性のある植物質基板とそれを利用した土壁パネルを提供することを課題とする。
【解決手段】
本発明の植物質基板は、第１の方向に第１の長さを有し、第１の方向と略直行する第２の方向に第２の長さを有する植物素材を略矩形または正方形の植物質基板であり、更に第３の方向へも植物素材を配することを特徴とする植物質基板であって、植物素材には、少なくともカヤ、オギ、ヨシからなるセルロースを含むことを特徴とする。
【選択図】図１０【図１】
0005145449.tif 000002
【図２】
0005145449.tif 000003
【図３】
0005145449.tif 000004
【図４】
0005145449.tif 000005
【図５】
0005145449.tif 000006
【図６】
0005145449.tif 000007
【図７】
0005145449.tif 000008
【図８】
0005145449.tif 000009
【図９】
0005145449.tif 000010
【図１０】
0005145449.tif 000011